(57)【要約】  レンズ鏡胴への駆動ユニットの装脱に応じて操作リングの回転に必要なトルクの大きさを変更できるレンズ・システムならびにレンズ鏡胴および駆動ユニットを提供することを目的とする。駆動ユニットがレンズ鏡胴に取付けられていない状態では，トルク調整機構が働き，摩擦部材が付勢部材の付勢力により操作リングを押圧する。駆動ユニットがレンズ鏡胴に装着されると，駆動ユニットに設けられている解除部材が固定環に形成された通路を通ってトルク調整機構に作用して付勢部材による付勢を解除する。
2014034699.tif 000002
【特許請求の範囲】
【請求項１】
レンズ鏡胴内の光学系を調整するための操作リングが回転自在に設けられたレンズ鏡胴と，このレンズ鏡胴に着脱自在であり，レンズ鏡胴に装着されたときに前記操作リングを回転させる駆動ユニットとを含み，
前記レンズ鏡胴は，前記光学系を内蔵する鏡胴本体，前記鏡胴本体の外周側に設けられた前記操作リング，前記鏡胴本体の外周側に配置，固定され，前記操作リングの回転を案内する固定環，ならびに前記鏡胴本体の外周面と前記操作リングおよび前記固定環の一部との間の空間に設けられたトルク調整機構を備え，
前記トルク調整機構は，摩擦部材と，前記固定環に設けられ，前記摩擦部材を前記操作リングまたはこれと連動する部材に対して接近，離間自在に保持する保持部材と，前記摩擦部材を前記操作リングまたはこれと連動する部材に接する方向に付勢する付勢部材とを有し，
前記固定環には，外部から前記トルク調整機構に通じる通路が形成され，
前記駆動ユニットは，前記レンズ鏡胴に装着されたときに前記通路を通って前記トルク調整機構に作用して前記摩擦部材を前記操作リングまたはこれと連動する部材から離す解除部材を有している，
レンズ・システム。
【請求項２】
前記解除部材は前記トルク調整機構の前記保持部材または前記付勢部材に作用する，請求項１に記載のレンズ・システム。
【請求項３】
前記保持部材と前記付勢部材が，一つの板ばねによって構成されている，請求項１または２に記載のレンズ・システム。
【請求項４】
前記保持部材が一部で回動自在に支持されたリンク部材であり，
前記リンク部材の一端部に前記摩擦部材が設けられ，
前記リンク部材が，他の部分で前記付勢部材により引っぱられ，または押されることにより，前記摩擦部材が前記操作リングまたはこれと連動する部材に接して押圧する，請求項１または２に記載のレンズ・システム。
【請求項５】
前記保持部材と前記付勢部材とが，前記固定環に固定された第１の支持部材，この第１の支持部材に固定された直方体状の弾性体，およびこの弾性体に固定された第２の支持部材の組み合わせにより構成され，第２の支持部材に摩擦部材が取り付けられている，
請求項１または２に記載のレンズ・システム。
【請求項６】
レンズ鏡胴内の光学系を調整するための操作リングが回転自在に設けられたレンズ鏡胴において，
前記レンズ鏡胴は，前記光学系を内蔵する鏡胴本体，前記鏡胴本体の外周側に設けられた前記操作リング，前記鏡胴本体の外周側に配置，固定され，前記操作リングの回転を案内する固定環，ならびに前記鏡胴本体の外周面と前記操作リングおよび上記固定環の一部との間の空間に設けられたトルク調整機構を備え，
前記トルク調整機構は，摩擦部材と，前記固定環に設けられ，前記摩擦部材を前記操作リングまたはこれと連動する部材に対して接近，離間自在に保持する保持部材と，前記摩擦部材を前記操作リングまたはこれと連動する部材に接する方向に付勢する付勢部材とを有し，
駆動ユニットが前記レンズ鏡胴に装着されたときに，前記駆動ユニットに設けられた解除部材が前記トルク調整機構に作用するために通る通路が前記固定環に形成されている，
レンズ鏡胴。
【請求項７】
前記解除部材は前記トルク調整機構の前記保持部材または前記付勢部材に作用する，請求項６に記載のレンズ鏡胴。
【請求項８】
前記保持部材と前記付勢部材が，一つの板ばねによって構成されている，請求項６または７に記載のレンズ鏡胴。
【請求項９】
前記保持部材が一部で回動自在に支持されたリンク部材であり，
前記リンク部材の一端部に前記摩擦部材が設けられ，
前記リンク部材が，他の部分で前記付勢部材により引っぱられ，または押されることにより，前記摩擦部材が前記操作リングまたはこれと連動する部材に接して押圧する，請求項６または７に記載のレンズ鏡胴。
【請求項１０】
前記保持部材と前記付勢部材とが，前記固定環に固定された第１の支持部材，この第１の支持部材に固定された直方体状の弾性体，およびこの弾性体に固定された第２の支持部材の組み合わせにより構成され，第２の支持部材に摩擦部材が取り付けられている，
請求項６または７に記載のレンズ鏡胴。
【請求項１１】
請求項６に記載のレンズ鏡胴に着脱自在であり，
レンズ鏡胴に装着されたときに，前記操作リングを回転させる駆動装置と，前記通路を通って前記トルク調整機構に作用する前記解除部材とを有している，
駆動ユニット。
【請求項１２】
レンズ鏡胴内の光学系を調整するための操作リングが回転自在に設けられたレンズ鏡胴に着脱自在な駆動ユニットであって，
前記レンズ鏡胴に装着されたときに，前記操作リングを回転させる駆動装置と，前記レンズ鏡胴に設けられた，前記操作リングのトルクを調整する機構に作用して，前記操作リングまたはそれと連動する部材に働いている摩擦力を解除する部材とを備えた，
駆動ユニット。
【発明の詳細な説明】
【技術分野】
【０００１】
この発明は，レンズ・システムならびにレンズ鏡胴および駆動ユニットに関する。
【背景技術】
【０００２】
映画用カメラなどのレンズ鏡胴には，ズーム・レンズ，フォーカス・レンズ，アイリスなどの光学系が内蔵されている。レンズ鏡胴の外周面には，ズーム・リング，フォーカス・リング，アイリス・リングなどの操作リングが回転自在に設けられている。操作リングは手動で操作され，これにより対応する光学系（ズーム・レンズなど）の位置が調節される。【０００３】
他方，放送用カメラのレンズ鏡胴には，操作リングを電動で駆動するための駆動ユニットが装着されており，カメラマンは駆動ユニットを操作することにより操作リングを回転させ，光学系を調整する。【０００４】
映画用と放送用とに兼用するために，駆動ユニットを着脱自在にできるレンズ鏡胴および駆動ユニットもある。駆動ユニットが装着されていない場合には，操作リングは手で回転されるから，操作リングを回転させるのに必要なトルクが比較的大きいことが望まれる。誤って触れただけで操作リングが動いてしまうのは困る。他方，駆動ユニットを装着したときには，消費電力を抑えるために，操作リングを回転させるのに必要なトルクは小さい方がよい。【０００５】
特許文献１はレンズの自重で光学系の位置が変わってしまうのを防ぐために，摩擦部材を操作リングに接触させる構造を開示しているが，摩擦部材を働かせる位置と，解除する位置とを切り換えるために切換スイッチを設けている。特許文献１に記載のものは駆動ユニットの無いものである。【０００６】
特許文献２に記載のレンズ鏡胴は駆動ユニットを装着したままの状態で，モータ駆動とマニアル駆動とで操作リングに加わる負荷を切り替えるものである。操作リングへの負荷は摩擦抵抗を利用して与えているが，駆動ユニットの着脱に応じて操作リングの回転に必要なトルクを変えるという技術的課題を提供するものではない。
【先行技術文献】
【特許文献】
【０００７】
【特許文献１】特開２００１−１４７３６２号公報
【特許文献２】特開２００９−２７６４６８号公報
【発明の概要】
【発明が解決しようとする課題】
【０００８】
この発明はレンズ鏡胴への駆動ユニットの装脱に応じて操作リングの回転に必要なトルクの大きさを変更することを目的とするものである。【０００９】
この発明は，より具体的にはレンズ鏡胴に駆動ユニットを装着したときには相対的にトルクを小さくし，駆動ユニットを取り外した場合にはトルクが相対的に大きくなるように，操作リングの回転に必要なトルクを変えることを目的とする。
【課題を解決するための手段】
【００１０】
この発明によるレンズ・システムは，レンズ鏡胴内の光学系を調整するための操作リングが回転自在に設けられたレンズ鏡胴と，このレンズ鏡胴に着脱自在であり，レンズ鏡胴に装着されたときに操作リングを回転させる駆動ユニットとを含む。【００１１】
レンズ鏡胴は，光学系を内蔵する鏡胴本体，鏡胴本体の外周側に設けられた操作リング，鏡胴本体の外周側に配置，固定され，操作リングの回転を案内する固定環，ならびに鏡胴本体の外周面と操作リングおよび固定環の一部との間の空間に設けられたトルク調整機構を備えている。【００１２】
トルク調整機構は，摩擦部材と，固定環に設けられ，摩擦部材を操作リングまたはこれと連動する部材に対して接近，離間自在に保持する保持部材と，摩擦部材を操作リングまたはこれと連動する部材に接する方向に付勢する付勢部材とを有している。【００１３】
固定環には，外部からトルク調整機構に通じる通路が形成されている。【００１４】
駆動ユニットは，レンズ鏡胴に装着されたときに通路を通ってトルク調整機構に作用して摩擦部材を操作リングまたはこれと連動する部材から離す解除部材を有している。【００１５】
駆動ユニットがレンズ鏡胴に取付けられていない状態では，トルク調整機構が働き，摩擦部材が付勢部材の付勢力により，操作リングまたはこれと連動する部材に接してこれを押圧している。したがって，操作リングには摩擦部材の摩擦力が働き，操作リングを回すために必要なトルクは相対的に大きい。【００１６】
駆動ユニットがレンズ鏡胴に装着されると，駆動ユニットに設けられている解除部材が固定環に形成された通路を通ってトルク調整機構に作用して，付勢部材による付勢を解除する。したがって，摩擦部材は操作リングまたはこれと連動する部材から離れ，摩擦力は付与されなくなる。操作リングを回転するのに要するトルクは相対的に小さくなる。【００１７】
このようにして，この発明によると，レンズ鏡胴への駆動ユニットの装脱に応じて操作リングの回転に必要なトルクの大きさを変更することができる。【００１８】
この発明は上記レンズ・システムを構成するレンズ鏡胴も提供している。【００１９】
この発明によるレンズ鏡胴は，レンズ鏡胴内の光学系を調整するための操作リングが回転自在に設けられたものであり，光学系を内蔵する鏡胴本体，鏡胴本体の外周側に設けられた操作リング，鏡胴本体の外周側に配置，固定され，操作リングの回転を案内する固定環，ならびに鏡胴本体の外周面と操作リングおよび上記固定環の一部との間の空間に設けられたトルク調整機構を備えている。トルク調整機構は，摩擦部材と，固定環に設けられ，摩擦部材を操作リングまたはこれと連動する部材に対して接近，離間自在に保持する保持部材と，摩擦部材を操作リングまたはこれと連動する部材に接する方向に付勢する付勢部材とを有する。そして，駆動ユニットがレンズ鏡胴に装着されたときに，駆動ユニットに設けられた解除部材がトルク調整機構に作用するために通る通路が固定環に形成されている。【００２０】
このレンズ鏡胴では，トルク調整機構の働きにより，摩擦部材が操作リングまたはこれと連動する部材に接してこれを押圧しているから，その摩擦力が働き操作リングを回転操作するのに必要なトルクは比較的大きい。【００２１】
この発明は上記レンズ鏡胴に適した駆動ユニットを提供している。この駆動ユニットはレンズ鏡胴に着脱自在であり，レンズ鏡胴に装着されたときに，操作リングを回転させる駆動装置と，通路を通ってトルク調整機構に作用する解除部材とを有している。【００２２】
したがってこの発明による駆動ユニットがレンズ鏡胴に装着されると，解除部材がレンズ鏡胴の固定環に形成された通路を通ってトルク調整機構に働き，上記付勢部材による摩擦部材の付勢を解く。これにより，操作リングまたはこれと連動する部材には摩擦部材による摩擦力が働かなくなり，操作リングを回転操作するために必要なトルクは相対的に小さくなる。【００２３】
この発明の実施態様では，解除部材はトルク調整機構の保持部材または付勢部材に作用する。【００２４】
トルク調整機構の一実施態様では，保持部材と付勢部材が，一つの板ばねによって構成されている。他の実施態様では，保持部材が一部で回動自在に支持されたリンク部材であり，リンク部材の一端部に摩擦部材が設けられ，リンク部材が，他の部分で付勢部材により引っぱられ，または押されることにより，摩擦部材が操作リングまたはこれと連動する部材に接して押圧する。さらに他の実施態様では，保持部材と付勢部材とが，固定環に固定された第１の支持部材，この第１の支持部材に固定された直方体状の弾性体，およびこの弾性体に固定された第２の支持部材の組み合わせにより構成され，第２の支持部材に摩擦部材が取り付けられている。
【発明の効果】
【００２５】
上述のように，レンズ鏡胴への駆動ユニットの装脱に応じて操作リングの回転に必要なトルクの大きさを変更することができるようになる。この発明のさらに具体的な実施態様は，以下の図面を参照した実施例の説明において一層明らかになる。
【図面の簡単な説明】
【００２６】
【図１】駆動ユニットが装着されたレンズ鏡胴の斜視図である。
【図２】駆動ユニットが装着されていないときのレンズ鏡胴の断面図である。
【図３】駆動ユニットが装着されたレンズ鏡胴の断面図である。
【図４】トルク調整機構の変形例を示すもので，駆動ユニットが装着されていないときのレンズ鏡胴の断面図である。
【図５】トルク調整機構の変形例を示すもので，駆動ユニットが装着されたレンズ鏡胴の断面図である。
【図６】トルク調整機構の他の変形例を示すもので，駆動ユニットが装着されていないときのレンズ鏡胴の断面図である。
【図７】トルク調整機構の他の変形例を示すもので，駆動ユニットが装着されたレンズ鏡胴の断面図である。
【図８】トルク調整機構のさらに他の変形例を示すもので，駆動ユニットが装着されていないときの状態を示す。
【発明を実施するための形態】
【００２７】
図１は，レンズ鏡胴20（レンズ・システム）の斜視図であり，レンズ鏡胴20内に内蔵されているズーム・レンズ等を駆動する駆動ユニット１が装着されている状態を示している。
【００２８】
レンズ鏡胴20の外周面には，先端側から後端側に向かって順に，フォーカス・リング22，ズーム・リング23およびアイリス・リング24が回転自在に設けられている。レンズ鏡胴20の先端部にはレンズ・カバー21が取り付けられている。レンズ鏡胴20の後端部には，カメラ本体（図示略）に装着するためのマウント部25が形成されている。
【００２９】
レンズ鏡胴20の内部には，フォーカス・レンズ（図示略），ズーム・レンズ（一例が図２等に符号100で示されている），アイリス（図示略）などの光学系（撮像レンズ）が保持されている。ユーザが手動で（駆動ユニット１が装着されていないとき），またはレンズ鏡胴20に装着された駆動ユニット１を利用して，フォーカス・リング22が回転操作されることにより，フォーカス・レンズが光軸方向に動き，ズーム・リング23が回転操作されることにより，ズーム・レンズが光軸方向に動く。また，アイリス・リング24が回転操作されることにより，アイリスの開口が調節される（光学系の調節）。
【００３０】
駆動ユニット１の側面には，ユーザによって操作されるアイリス・モード切替スイッチ２，オート・スイッチ３，ズーム・シーソー・スイッチ４およびリターン・スイッチ５が設けられている。アイリス・モード切替スイッチ２は，アイリス調節を自動で行うモードと，手動で行うマニアル・モードとを切り替えるものである。オート・スイッチ３は，アイリス調節をマニアル・モードにしているときに，一時的にオート・モードとするためのスイッチである。ズーム・シーソー・スイッチ４は，駆動ユニット１によってズーム・リング23を回転させることによりズーム・レンズの位置を動かす指令を与えるものである。リターン・スイッチ５は，ビュー・ファインダ（図示略）に表示する画像を切り替えるスイッチである。この他に，駆動ユニット１にはその後端部に，駆動ユニット１によってフォーカス・リング22を回転させるためのフォーカス・スイッチ（図示略）およびアイリス・リング24を回転させるためのアイリス・スイッチ（図示略）が設けられている。
【００３１】
駆動ユニット１には４箇所に取付脚部６，７が形成されている（図１では，二つの取付脚部６，７のみが見えており，残りの二つの取付脚部は見えていない）。これらの取付脚部６，７には穴があけられ，これらの穴に固定ねじ８，９を通し，レンズ鏡胴20の胴体（リング22，23，24以外の部分）にあけられたねじ孔にねじ込むことにより，駆動ユニット１がレンズ鏡胴20に装着される。これらのねじ８および９が外されることにより，レンズ鏡胴20から駆動ユニット１が取り外される。
【００３２】
図２は，レンズ鏡胴20の説明（特にズーム・レンズの移動機構）に必要な部分についての縦断面図（II−II線から見た断面図に相当）である。駆動ユニット１はレンズ鏡胴20から取り外されて，その外形が略図で示されている。
【００３３】
レンズ鏡胴20の基本的構造体は円筒状の鏡胴本体31である。鏡胴本体31の外周面に円筒状のカム筒35が回転自在に嵌め込められている。ズーム・リング23がカム筒35の外側（外周）に設けられ，ねじ42によって，ズーム・リング23とカム筒35とが一体に固定されている。ズーム・リング23が回転するとカム筒35も回転する。カム筒35の先端部には，その内周面にらせん形状のカム溝36が形成されており，このカム溝36にカム・ピン41の頭が移動可能に入り込んでいる。一方，ズーム・レンズ100（ズーム・レンズ群のうちの一つのみ図示）は円環状の移動枠60に，移動枠60と一体の保持部材62により保持されている。移動枠60は鏡胴本体31内をその軸方向に移動自在である。カム・ピン41は，移動枠60に，径方向に立設されている。カム・ピン41は鏡胴本体31に軸方向に形成された長孔（案内孔）32を移動自在に通っている。カム筒35のらせん溝36，鏡胴本体31の長孔32およびカム・ピン41と同じものが，鏡胴本体31の中心軸に関して点対称の位置（180度反対側）にも同じように設けられている。以上の機構により，ズーム・リング23を回転させると，カム筒35が回転し，カム・ピン41がらせん溝36と長孔32により規制された軸方向に動き，ズーム・レンズ100が軸方向に移動する。
【００３４】
鏡胴本体31の外周には，ズーム・リング23の両側の位置に，固定環50，80が鏡胴本体31に固定されている。固定環50を固定するためのねじが符号52で示されている。固定環50，80のズーム・リング23と接する端縁には環状の段部54，81がそれぞれ形成され，ズーム・リング23の環状段部とそれぞれ嵌り合い，ズーム・リング23の回転を案内している（ズーム・リング23は軸方向には動かない）。ズーム・リング23の周面の一部には歯（ギア）23Ａが形成されている。駆動ユニット１がレンズ鏡胴20に装着されたときに，駆動ユニット１内のモータ（図示略）によって回転駆動される駆動歯車14が歯23Ａと噛み合い，ズーム・リング23が電動駆動される。なお，アイリス・リング24は固定環80とマウント部25との間に回転自在に設けられている。
【００３５】
固定環50とカム筒35との間，およびズーム・リング23の歯23Ａの内周側にあたる部分とカム筒35の間には若干の環状の空間がある。この空間内の駆動ユニット１が装着される位置に対応する箇所に，トルク調整機構90が設けられている。トルク調整機構90は板ばね91と摩擦部材96とから構成されている。板ばね91はその一端においてピン95により固定環50の内周面に固定され，鏡胴本体31側に若干屈曲して，ズーム・リングの内周側（歯23Ａが形成されている部分の内側）まで延び，この他端に摩擦部材96が固定されている。摩擦部材96はゴム（弾性体），合成樹脂，その他板ばね91の付勢力を考慮して適切な大きさのすべり摩擦を生じさせるものでよい。この摩擦部材96は板ばね91のばね力（付勢力）によりズーム・リング23の内面に接し，かつこの内面を少し押圧している（図２に示す状態）。板ばね91は，摩擦部材96の保持部材と付勢部材との役割を持つ。
【００３６】
レンズ鏡胴20に駆動ユニット１が装着されていない状態では，摩擦部材96が板ばね91の力によりズーム・リング23の内面に接し，かつ少し押圧しているので，摩擦力が働き，ズーム・リング23を回転させるために必要なトルクは相対的に大きい。
【００３７】
板ばね91に丁度対応する箇所において，固定環50には解除部材が通る通路となる穴53があけられている。この通路は，穴に限らず切り欠きでもよい。また，穴，切り欠きの形は円形，四角形，Ｕ字形など，所望の形をとりうる。
【００３８】
一方，駆動ユニット１にはレンズ鏡胴20にぴったりと接するために凸部11，13が形成されている。これらの凸部11，13は，図３に示すように，駆動ユニット１がレンズ鏡胴20に装着されたときに，固定環50，80の表面に接する。一方の凸部11には，さらに外方に突出した解除部材12が設けられている。この解除部材12は駆動ユニット１が装着されたときに，通路53を通ってレンズ鏡胴20内に入り，板ばね91を内方に押す。すると，板ばね91に固定されている摩擦部材96はズーム・リング23の内面から離れる。摩擦部材96により摩擦力は働かないから，ズーム・リング23を回転させるのに必要なトルクは相対的に小さくなる。
【００３９】
図４および図５は，トルク調整機構の変形例を示している。図２，図３に示すものと同一物には同一符号を付し，重複説明を避ける。このことは，後述する他の変形例についても同じである。
【００４０】
図４において，トルク調整機構91Ａは，リンク部材111を備えている。このリンク部材111は，固定環50の内面に設けられた支持腕112にその一端でピン113により回転自在に取り付けられている。リンク部材111の他端には摩擦部材96が固定されている。このリンク部材111はまた，固定環50の内面に取り付けられた引きばね114によって，摩擦部材96がズーム・リング23の内面に接する方向に付勢されている。したがって，ズーム・リング23を回転させるのに必要な力は相対的に大きい。
【００４１】
図５に示すように，駆動ユニット１がレンズ鏡胴20に装着されると，解除部材12が通路53を通ってレンズ鏡胴20内に入り，リンク部材111を内方に押す。これにより，摩擦部材96は，ズーム・リング23の内面から離れるから，その回転に必要なトルクは小さくなる。
【００４２】
図６および図７は，トルク調整機構のさらに他の変形例を示している。
【００４３】
固定環50の内周面にＬ字型の支持部材（第１の支持部材）124が固定されている。この支持部材124は通路53の方向に延び，通路53に丁度対応する位置でその表面に直方体状の弾性体123（たとえば，ゴム）を介して支持板120（第２の支持部材）が固定されている。支持板120の先端部にはズーム・リング23の内周面に接する摩擦部材122が固定されている。
【００４４】
図６に示すように，レンズ鏡胴20に駆動ユニット１が装着されていないときには，弾性体123の弾性力により支持板120がズーム・リング23の方向に押され，摩擦部材122がズーム・リング23の内周面に接し，ズーム・リング23を回転させるために必要なトルクは相対的に大きい。
【００４５】
これに対して，図７に示すように，レンズ鏡胴20に駆動ユニット１が装着されると，駆動ユニット１の解除部材により，弾性体123が押し潰される（圧縮される）ので，支持板120はレンズ鏡胴20の中心方向に変位する。これにより，ズーム・リング23の内周面に接していた摩擦部材122がズーム・リング23の内周面から離れ，ズーム・リング23を回転させるために必要なトルクは小さくなる。
【００４６】
このように，レンズ鏡胴20に駆動ユニット１を装着しない場合にはズーム・リング23を回転させるために必要なトルクを相対的に大きくし，レンズ鏡胴20に駆動ユニット１を装着した場合にはズーム・リング23を回転させるために必要なトルクを小さくできる。
【００４７】
図８は，さらにトルク調整機構の変形例を示している。このトルク調整機構90Ｃにおいては，固定環50の内面に固定された支持腕112にリンク部材111がそのほぼ中間でピン113により回転自在に取り付けられている。このリンク部材111の一端部は通路53に対応する箇所に延び，その反対方向に延びた他端部のカム筒35側の面に摩擦部材96が固定されている。このリンク部材111の他端部は固定環50の内面に取り付けられた押しばね115によって付勢され，摩擦部材96がカム筒35に接し，かつ少し押し付けられている。カム筒35は上述のようにズーム・リング23と結合している。したがって，ズーム・リング23を回すのに必要なトルクは相対的に大きい。
【００４８】
駆動ユニット１がレンズ鏡胴20に装着されると，その解除部材12が通路53を通ってレンズ鏡胴20内に侵入し，リンク部材111の他端部を押すので，鎖線で示すように摩擦部材96はカム筒35の表面から離れる。ズーム・リング23を回転させるのに必要なトルクは小さくなる。
【００４９】
上述の実施例では，ズーム・リング23について述べたが，フォーカス・リング22，アイリス・リング24についても同様のトルク機構を設けて，レンズ鏡胴20に駆動ユニット１を装着しない場合にはフォーカス・リング22またはアイリス・リング24を回転させるために必要なトルクを大きくし，レンズ鏡胴20に駆動ユニット１を装着する場合にはフォーカス・リング22またはアイリス・リング24を回転させるために必要なトルクを小さくできるのはいうまでもない。
【図１】
2014034699.tif 000003
【図２】
2014034699.tif 000004
【図３】
2014034699.tif 000005
【図４】
2014034699.tif 000006
【図５】
2014034699.tif 000007
【図６】
2014034699.tif 000008
【図７】
2014034699.tif 000009
【図８】
2014034699.tif 000010
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
レンズ鏡胴内の光学系を調整するための操作リングが回転自在に設けられたレンズ鏡胴と，このレンズ鏡胴に着脱自在であり，レンズ鏡胴に装着されたときに前記操作リングを回転させる駆動ユニットとを含み，
前記レンズ鏡胴は，前記光学系を内蔵する鏡胴本体，前記鏡胴本体の外周側に設けられた前記操作リング，前記鏡胴本体の外周側に配置，固定され，前記操作リングの回転を案内する固定環，ならびに前記鏡胴本体の外周面と前記操作リングおよび前記固定環の一部との間の空間に設けられたトルク調整機構を備え，
前記トルク調整機構は，摩擦部材と，前記固定環に設けられ，前記摩擦部材を前記操作リングまたはこれと連動する部材に対して接近，離間自在に保持する保持部材と，前記摩擦部材を前記操作リングまたはこれと連動する部材に接する方向に付勢する付勢部材とを有し，
前記固定環には，外部から前記トルク調整機構に通じる通路が形成され，
前記駆動ユニットは，前記レンズ鏡胴に装着されたときに前記通路を通って前記トルク調整機構に作用して前記摩擦部材を前記操作リングまたはこれと連動する部材から離す解除部材を有している，
レンズ・システム。
【請求項２】
前記解除部材は前記トルク調整機構の前記保持部材または前記付勢部材に作用する，請求項１に記載のレンズ・システム。
【請求項３】
前記保持部材と前記付勢部材が，一つの板ばねによって構成されている，請求項１または２に記載のレンズ・システム。
【請求項４】
前記保持部材が一部で回動自在に支持されたリンク部材であり，
前記リンク部材の一端部に前記摩擦部材が設けられ，
前記リンク部材が，他の部分で前記付勢部材により引っぱられ，または押されることにより，前記摩擦部材が前記操作リングまたはこれと連動する部材に接して押圧する，請求項１または２に記載のレンズ・システム。
【請求項５】
前記保持部材と前記付勢部材とが，前記固定環に固定された第１の支持部材，この第１の支持部材に固定された直方体状の弾性体，およびこの弾性体に固定された第２の支持部材の組み合わせにより構成され，第２の支持部材に摩擦部材が取り付けられている，
請求項１または２に記載のレンズ・システム。
【請求項６】
レンズ鏡胴内の光学系を調整するための操作リングが回転自在に設けられたレンズ鏡胴において，
前記レンズ鏡胴は，前記光学系を内蔵する鏡胴本体，前記鏡胴本体の外周側に設けられた前記操作リング，前記鏡胴本体の外周側に配置，固定され，前記操作リングの回転を案内する固定環，ならびに前記鏡胴本体の外周面と前記操作リングおよび上記固定環の一部との間の空間に設けられたトルク調整機構を備え，
前記トルク調整機構は，摩擦部材と，前記固定環に設けられ，前記摩擦部材を前記操作リングまたはこれと連動する部材に対して接近，離間自在に保持する保持部材と，前記摩擦部材を前記操作リングまたはこれと連動する部材に接する方向に付勢する付勢部材とを有し，
駆動ユニットが前記レンズ鏡胴に装着されたときに，前記駆動ユニットに設けられた解除部材が前記トルク調整機構に作用するために通る通路が前記固定環に形成されている，
レンズ鏡胴。
【請求項７】
前記解除部材は前記トルク調整機構の前記保持部材または前記付勢部材に作用する，請求項６に記載のレンズ鏡胴。
【請求項８】
前記保持部材と前記付勢部材が，一つの板ばねによって構成されている，請求項６または７に記載のレンズ鏡胴。
【請求項９】
前記保持部材が一部で回動自在に支持されたリンク部材であり，
前記リンク部材の一端部に前記摩擦部材が設けられ，
前記リンク部材が，他の部分で前記付勢部材により引っぱられ，または押されることにより，前記摩擦部材が前記操作リングまたはこれと連動する部材に接して押圧する，請求項６または７に記載のレンズ鏡胴。
【請求項１０】
前記保持部材と前記付勢部材とが，前記固定環に固定された第１の支持部材，この第１の支持部材に固定された直方体状の弾性体，およびこの弾性体に固定された第２の支持部材の組み合わせにより構成され，第２の支持部材に摩擦部材が取り付けられている，
請求項６または７に記載のレンズ鏡胴。
【請求項１１】
請求項６に記載のレンズ鏡胴に着脱自在であり，
レンズ鏡胴に装着されたときに，前記操作リングを回転させる駆動装置と，前記通路を通って前記トルク調整機構に作用する前記解除部材とを有している，
駆動ユニット。
【国際調査報告】
2014034699.tif 000011
2014034699.tif 000012